(57)【要約】【課題】防犯を主目的とした監視カメラにより重要監視場所を昼夜無人的に監視するために最適な監視カメラ装置を使用し、無人で自動的に監視し、怪しいもの発見に際しては、怪しいものを無人でも映像的に追い続け、高精度で正確に監視できるような監視カメラ装置がなく、これを解決出来るような監視カメラ駆動法の開発が課題であった。【解決手段】３次元位置決め雲台機能を持った監視カメラを２機以上で映像信号を得てそれらの映像情報を有機的に処理し、入力された平面写真等のデータまたは正面と側面写真等のデータと比較し、入力情報と同一かどうかの判断をさせる機能を持たせた監視カメラ駆動法。【選択図】　　　　　　図１
2004096518.tif 000002
【特許請求の範囲】
【請求項１】
カメラを水平回転（パンニング動作）させる回転電機は、その回転軸を中心とした中央部を中空通し穴とし、更に、その回転出力を減速する場合は、回転軸と同心的に同じく中空穴を中心に有した減速体を設け、スリップリングを減速体中空出力軸を含めた、該中空穴内部または中空出力軸の側面に同心的に設け、静止側と可動側との間で電力や電機信号の授受を行い、３次元で駆動位置決め可能な監視カメラ駆動方式を用い、同一個所のカメラ映像信号を複数回比較または、（ｎ―１）回目とｎ回目の映像信号の減算を行うことで、偏差が存在したことを認識できることを特長とした回転電機による監視カメラ駆動法。
但し，ｎは２以上の整数。
【請求項２】
請求項１に於いて、偏差が存在した個所にパンニング及びチルチングモータにより、カメラ方向を向け、その映像信号を得ることを特徴とする回転電機による監視カメラ駆動法。
【請求項３】
請求項１に於いて、偏差が存在した個所が時々刻々変化しても、カメラ映像信号の該偏差個所位置より、パンニング及びチルチングモータに位置情報を与え、カメラ方向を該偏差個所に向け続け、その映像信号を得続けることを特徴とする回転電機による監視カメラ駆動法。
【請求項４】
請求項１から３において、該偏差が基準値以上の場合に、監視者にアラームを伝える機能を具備したことを特徴とする回転電機による監視カメラ駆動法。
【請求項５】
請求項１から３において、該偏差が基準値以上の場合に、偏差を発生した場所に音声アラーム、または照明点灯をする信号出力機能を具備したことを特徴とする回転電機による監視カメラ駆動法。
【請求項６】
カメラを水平回転（パンニング動作）させる回転電機はその回転軸を中心とした中央部を中空通し穴とし、更に、その回転出力を減速する場合は回転軸と同心的に同じく中空穴を中心に有した減速体を設け、スリップリングを減速体中空出力軸を含めた、該中空穴内部または中空出力軸の側面に同心的に設け、静止側と可動側との間で電力や電機信号の授受を行い、３次元で駆動位置決め可能な監視カメラ駆動方式を用い、動いている人や動物の顔面等を所定の時間映像追跡し、探している人や動物の映像と比較し、同一判断可能な機能を具備したことを特徴とする回転電機による監視カメラ駆動法。
【請求項７】
３次元位置決め雲台機能を持った監視カメラを２機以上で映像信号を得てそれらの映像情報を有機的に処理し、入力された平面写真等のデータまたは正面と側面写真等のデータと比較し、入力情報と同一かどうかの判断をさせる機能を持たせた監視カメラ駆動法。
【発明の詳細な説明】
【０００１】
【産業上の利用分野】
本発明は、監視カメラ駆動等に最適な回転電機にによるその駆動法に関する。
【０００２】
【従来の技術】
防犯を主目的とした監視カメラにより重要監視場所を昼夜無人的に監視する場合、３次元に位置決めできる監視カメラ装置が必要でありそのためには、水平回転であるパンニングモータとこのモータで水平に駆動されながら、カメラを垂直首振りさせるチルテングモータで駆動するものが使用されている。
しかしスリップリングを使用しないと、連続的に一方向に何回転もすると、チルチングモータやカメラに電力を供給するリード線ケーブルがねじれて、回転不可能である。スリップリングを使用したものでも、回転電機の水平回転軸とカメラの水平回転軸が同心で無いものは、構造が複雑で、外形も大きくなり、カメラが目立ち、この種の目的に必ずしも、適したものではなかった。
【０００３】
【発明が解決しようとする課題】
防犯を主目的とした監視カメラにより重要監視場所を昼夜無人的に監視するために最適な監視カメラ装置を使用し、無人で自動的に監視し、怪しいもの発見に際しては、怪しいものを無人でも映像的に追い続け、高精度で正確に監視できるような監視カメラ装置がなく、これを解決出来るような監視カメラ駆動法の開発が課題であった。
【０００４】
【課題を解決するための手段】
【手段１】カメラを水平回転（パンニング動作）させる回転電機はその回転軸を中心とした中央部を中空通し穴とし、更にっその回転出力を減速する場合は回転軸と同心的に同じく中空穴を中心に有した減速対を設け、スリップリングを減速対中空出力軸を含めた、該中空穴内部または中空出力軸の側面に同心的に設け、該カメラを垂直方向に首振り（チルテング動作）させる回転電機の電力授受及び、垂直方向駆動回転電機にとりつけられたカメラの電力や映像信号授受即ち静止側と可動側間の電力の送受を該スリップリングを経由して行い、該カメラを連続的に水平方向に回転且、３次元で位置決め可能な監視カメラ駆動方式を用い、同一個所のカメラ映像信号を複数回比較または、（ｎ―１）回目とｎ回目の映像信号の減算を行うことで、偏差が存在したことを認識できることを特長とした回転電機による監視カメラ駆動法。但しｎは２以上の任意の整数。
【手段２】請求項１に於いて、偏差が存在した個所にパンニング及びチルチングモータにより、カメラ方向を向け、その映像信号を得ることを特徴とする回転電機による監視カメラ駆動法。
【手段３】請求項１に於いて、偏差が存在した個所が時々刻々変化しても、カメラ映像信号の該偏差個所位置より、パンニング及びチルチングモータに位置情報を与え、カメラ方向を該偏差個所に向け続け、その映像信号を得続けることを特徴とする回転電機による監視カメラ駆動法。
【手段４】請求項１から３において、該偏差が基準値以上の場合に、監視者にアラームを伝える機能を具備したことを特徴とする回転電機による監視カメラ駆動法。
【手段５】請求項１から３において、該偏差が基準値以上の場合に、偏差を発生した場所に音声アラーム、または照明点灯をする信号出力機能を具備したことを特徴とする回転電機による監視カメラ駆動法。
【手段６】カメラを水平回転（パンニング動作）させる回転電機はその回転軸を中心とした中央部を中空通し穴とし、更にっその回転出力を減速する場合は回転軸と同心的に同じく中空穴を中心に有した減速対を設け、スリップリングを減速対中空出力軸を含めた、該中空穴内部または中空出力軸の側面に同心的に設け、該カメラを垂直方向に首振り（チルテング動作）させる回転電機の電力授受及び、垂直方向駆動回転電機にとりつけられたカメラの電力や映像信号授受を該スリップリングを経由して行い、該カメラを連続的に水平方向に回転且、３次元で位置決め可能な監視カメラ駆動方式を用い動いている人や動物の顔面等を所定の時間映像追跡し、探している人や動物の映像と比較し、同一判断可能な機能を具備したことを特徴とする回転電機による監視カメラ駆動法。
【手段７】３次元位置決め雲台機能を持った監視カメラを２機以上で映像信号を得てそれらの映像情報を有機的に処理し、入力された平面写真等のデータまたは正面と側面写真等のデータと比較し、入力情報と同一かどうかの判断をさせる機能を持たせた監視カメラ駆動法。
【０００５】
【実施例】
図１は本発明に最適な３次元位置決め可能な監視カメラ駆動装置の概念図である。１は水平回転用回転電機（以下、モータ）部、２はその減速体部であり、３はモータ部中空軸、４は減速体部中空出力軸部、５はスリップリング、６は軸受けである。７はこの例ではＬ字型の金具等であり、４に固定され、チルトモータ８に組み付けられた減速体９を固定しする役割を持ち、取り付けられた減速体の出力軸でカメラ１０を垂直方向に首振り動作させる。この時、８及び１０への電力供給及び１０の映像信号出力はスリップリング５を経由し、静止部へ導かれる。即ちリード線群は水平軸駆動モータ１の中空内部に設けられたスリップリング５を経由して８なるチルトモータやカメラ１０に導かれる。この図１は一例であり、チルトモ―タ８及びパンニングモータ１の両方のドライバーを可動部の７等に搭載しても良く、その場合は静止側より、電力をスリップリングを経由してそれらのドライバーやカメラに供給し、カメラの映像情報をスリップリングより静止側へ取り出す。この場合はスリップリングのピン数を減らせるので、スリップリングのコストが安く出来る。
スリップリングはパンニングモータ内部中空部等に内臓されるため、小型コンパクトとなり、コンパクトな雲台を形成できる。また駆動回転電機は３相ステッピングモータを採用すれば駆動回路が簡単で騒音振動が小さな高速位置決め可能なコストーパフォーマンスに優れた監視カメラが実現する。更に３相ステッピングモータをマイクロステップ駆動すれば、振動騒音は更に小さく出来る。
【０００６】
夜間の銀行の金庫付近や、留守宅の玄関付近を高所等からこの監視カメラで監視する時、この場合、カメラは連続的に目的個所を含めて、同じ映像を周期的にとり、そのデータを処理することで、その場所の変化を識別できる。
同一個所のカメラ映像信号を連続的に、または複数回比較または、ｎを任意の整数とし、ｎ―１回目とｎ回目の映像信号の減算を行うことで、異常があれば、偏差が現れるので、異常が存在したことを認識できる。即ち、この方法で、目的を実現出来る。この場合、監視カメラは小型で、高速で、自由にあらゆる方向にまたは連続的に同一方向に回転し続ける等の動作に適し、騒音を出さないものが望ましい。これには図１の構成が最適である。
【０００７】
図１の駆動装置で偏差を見つけた時、偏差が存在した個所にパンニング及びチルチングモータにより、カメラ方向を向け、その映像信号を得ることができる。また、
偏差が存在した個所が時々刻々変化しても、カメラ映像信号の該偏差個所位置より、パンニング及びチルチングモータに位置情報を与え、カメラ方向を該偏差個所に向け続け、その映像信号を得続けることも可能である。あるいは、偏差が基準値以上の場合に、監視者にアラームを伝える機能を具備させることもできる。
また、偏差が基準値以上の場合に、偏差を発生した場所に音声アラーム、または照明点灯をする信号出力機能を具備し、不法進入者に警告を与えることもできる。
【０００８】
本提案の図１等の監視カメラの別の応用として、空港等でゲートを通過する乗客から犯人や参考関係者等を見つけ出す場合にも最適である。このためには複数個所から複数のカメラで映像を得て例えば顔面をより多く捕らえた方のデータを使うこともできる。または複数のデータから正面顔面画像や側面顔面像を合成処理作成し、入力してある正面顔面または側面顔面データとコンピユター等で比較することもできる。入力データが正面と側面顔面であればさらに正確に本人を同一人と断定可能になる。このためにはカメラ位置を高速で目的物の最適位置アングルに瞬時に追従できるものでないと実用できない。即ち、ゲートを通過中の動いている人や動物の顔面等を所定の時間映像追跡し、探している人や動物の映像と比較し、同一化判断をさせるものである。　　　　しかし急ぎ通過する人たちは正面を向くとは限らず横を向いて通過する場合もある。このような場合、更に判断の精度を上げるためには、３次元位置決め雲台機能を持った監視カメラを２機以上で映像信号を得てそれらの映像情報を有機的に処理し、入力された平面写真等のデータまたは正面と側面写真等のデータと比較し、入力情報と同一かどうかの判断をさせる監視カメラ駆動法が極めて有効になる。
【０００９】
図２Ａは図１の水平駆動モータ１の内部構造の一例を示した側面断面図である。駆動モータはインナーロータ型でもアウターロータ型でもよいが、図２は後者であり、２１がそれである。２２は出力軸を兼ねたもので中空になっている。２６は減速体である。監視カメラではカメラやチルトモータのイナーシャの影響やモータ通電時とオフ時の位置づれを少なくするために減速体を通常使用する。２３はスリップリングであり、１４はそのリード線を示す。図２Ｂは２６が遊星ギャの場合の正面図である。２４が遊星ギャ、２５が太陽ギャで中空部を有する。２３はインターナルギャである。
【００１０】
図３は本発明の、同一個所のカメラ映像信号を複数回比較、または、（ｎ―１）回目とｎ回目の映像信号の減算を行うことで、偏差が存在したことを認識する原理のブロック図である。偏差が起きた場合は基準値と比較し、基準値を偏差値が越えていた場合は比較回路の出力で次の動作でるアラームの発生等を行うものである。即ち、映像信号はｎ回と（ｎー１）回の引き算により、偏差値Ｂを得て、基準値Ａと比較を行う。そしてＢがＡを越える場合は、比較回路から出力を出し、次の動作であるアラーム等の動作に移行することになる。このためには３次元で自由に任意の同じ場所の映像を定期的にサンプリング出来る監視カメラである必要があることになる。
【００１１】
図４は従来技術の３次元位置決め監視カメラの構成図である。３１は水平軸を駆動するモータ、３２はその出力ピニオン、３３はそれと噛合う減速ギャ、３５はカメラ１０が水平回転するための円筒軸であり、大内径の軸受け３４で、上下２枚のシャーシー４２に支持される。上下の４２は柱４４で固定される。３７はチルトモータ、３８はそのピニオン、３９は３８と噛合うギャ、４０はその軸受けである。尚７、１０は図１と同じ部品である。図１と図４を比較すると、１）図１は図４の４２や４４をモータ１で兼ねている。２）図４のパンニングモータ３１と５なるスリップリングは回転軸が異なるが、図１は両者１と５が同心配置されている。以上から小型で少部品化であることが分かる。また１や８を３相ステッピングモータとすれば騒音振動が小さくできる。
【００１２】
【発明の効果】
１）スリップリングを中空軸内部等に配置したパンニングモータを使用した雲台機構の監視カメラ装置で同一位置の複数回の映像を得てそれらを、背景差処理することで、偏差を簡単且正確に得ることが可能となる。その偏差情報から偏差の発生した場所を追跡したり、アラームを監視者や侵入者に送ったりすることで防犯を行うことができる。
２）動いている人や動物の顔面等を本提案のカメラ装置で所定の時間映像追跡し、探している人や動物の映像と比較し、同一判断可能な機能を持たせることもできる。
３）３次元位置決め雲台機能を持った監視カメラを２機以上で映像信号を得て、それらの映像情報を有機的に処理し、入力された平面写真等のデータまたは正面と側面写真等のデータと比較し、入力情報と同一かどうかの精度の高い判断をさせる高精度判断機能を備えた監視カメラ駆動法が可能となる。
【図面の簡単な説明】
【図１】本発明に用いる監視カメラの構造図
【図２】本発明に用いるモータの構成図
【図３】本発明の異常値発見回路ブロック図
【図４】従来技術の原理を説明するための図
【符号の説明】
１　　　　　　モータ
２　　　　　　減速体
３　　　　　　中空軸、
４　　　　　　中空軸、
５　　　　　　スリップリング、
６　　　　　　軸受け、
７　　　　　　取り付け板
８　　　　　　モータ
９　　　　　　減速体、
１０　　　　　　カメラ
１４　　　　　　リード線
２１　　　　　　モータ、
２２　　　　　　軸中空、
２３　　　　　　スリップリング
２４　　　　　　遊星ギャ、
２５　　　　　　太陽ギャ
２６　　　　　　インターナルギャ
３１　　　　　　モータ
３２　　　　　　ピニオンギャ
３３　　　　　　減速ギャ
３４　　　　　　軸受け
３５　　　　　　　水平回転軸
３７　　　　　　モータ
３８　　　　　　ピニオンギャ
３９　　　　　　減速ギャ
４０　　　　　　軸受け
４２　　　　　　シャーシ
４４　　　　　　柱
【図１】
2004096518.tif 000003
【図２】
2004096518.tif 000004
【図３】
2004096518.tif 000005
【図４】
2004096518.tif 000006